(57)【要約】【課題】補助光学部材が医療用ルーペのように重いものであっても、安定した状態で眼鏡に着脱可能に取り付けることができる取付機構を提供する。【課題の解決手段】  取付機構であるクリップ１は、ルーペ３６，３７を保持する保持体１８を、ルーペ３６，３７が眼鏡２０のレンズの前側に位置するように、眼鏡に着脱可能に取り付けるためのものであって、保持体１８を取り付ける取付部７と、左右一対の眼鏡レンズをそれぞれ前後方向から弾発挟持する左右一対の挟持部２ａ，２ｂ，３ａ，３ｂと、眼鏡レンズの前面側において各挟持部２ａ，２ｂ，３ａ，３ｂよりも外側の位置でそれぞれ当接する当接部を先端に有する当接ロッド６ａ，６ｂを備える。【選択図】    図３
2006011208.tif 000002
【特許請求の範囲】
【請求項１】
補助光学部材を保持する保持体を、前記補助光学部材が眼鏡レンズの前側に位置するように、眼鏡に着脱可能に取り付けるための取付機構であって、前記保持体を取り付ける取付部と、左右一対の眼鏡レンズをそれぞれ前後方向から弾発挟持する左右一対の挟持部と、眼鏡に対してその前面側及び／又は後面側において当接する当接部とを備えることを特徴とする眼鏡用補助光学部材の取付機構。
【請求項２】
当接部は、左右一対の眼鏡レンズの各前面に、各挟持部よりも外側の位置でそれぞれ当接するよう構成したことを特徴とする請求項１記載の眼鏡用補助光学部材の取付機構。
【発明の詳細な説明】
【技術分野】
【０００１】
本発明は、外科医等が手術の際に使用する医療用ルーペ等の筒体内に拡大レンズ系を有する各種ルーペ、老眼鏡レンズ、遮光レンズ等の補助光学部材を眼鏡に着脱可能に取り付けるための取付機構に関する。
【背景技術】
【０００２】
従来、この種の取付機構としては、接近方向に弾発付勢された左右一対の挟持部材で、左右一対の眼鏡レンズを前後方向からそれぞれ挟持するとともに、水平に伸びる規制部材を眼鏡枠上縁に上方から当接して位置決めすることにより、眼鏡に取り付けるクリップが知られている。
【特許文献１】特開平１１−３０７６８号公報
【発明の開示】
【発明が解決しようとする課題】
【０００３】
上記従来例によると、左右の各眼鏡レンズにそれぞれ挟持部材により、左右各１箇所で弾発挟持するだけなので、補助光学部材が、老眼鏡レンズや、遮光レンズのように、軽いものであれば問題ないが、医療用ルーペのように重いものの場合には、取付状態が不安定であるという不都合を有している。
【０００４】
本発明は、上記不都合を解消して、安定した状態で補助光学部材を眼鏡に着脱可能に取り付けることができる眼鏡用補助光学部材の取付機構を提供することを目的とする。
【課題を解決するための手段】
【０００５】
すなわち、本発明に係る眼鏡用補助光学部材の取付機構は、補助光学部材を直接的、あるいは間接的に保持する保持体を、前記補助光学部材が眼鏡レンズの前側に位置するように、眼鏡に着脱可能に取り付けるための取付機構であって、前記保持体を取り付ける取付部と、左右一対の眼鏡レンズをそれぞれ前後方向から弾発挟持する左右一対の挟持部と、眼鏡に対してその前面側及び／又は後面側において当接する当接部とを備えるものである。
【０００６】
そして、当接部は、左右一対の眼鏡レンズの各前面に、各挟持部よりも外側の位置でそれぞれ当接するように構成すると好適である。
【発明の効果】
【０００７】
本発明の眼鏡用補助光学部材の取付機構によれば、左右一対の眼鏡レンズをそれぞれ前後方向から弾発挟持する一対の挟持部に加えて、眼鏡に対してその前面側及び／又は後面側において当接する当接部を設けたので、重い補助光学部材でも安定した状態で眼鏡に取り付けることができる。
【０００８】
また、当接部を、左右一対の眼鏡レンズの各前面に設ける場合には、各挟持部よりも外側の位置でそれぞれ当接するよう構成すれば、取付状態はより安定したものとなる。
【発明を実施するための最良の形態】
【０００９】
以下、本発明の好適な実施形態を添付図面の図１〜図４に基づいて詳細に説明する。ここにおいて、図１は取付機構たるクリップに眼鏡用光学補助部材たるルーペを保持した保持体を取り付けた状態の斜視図、図２はクリップに取り付けたルーペを保持した保持体を中央部で破断した縦断面図、図３はルーペをクリップで眼鏡に取り付けた状態を示す正面図、図４はルーペを支持体に固定する固定機構の縦断面図である。
【００１０】
図１〜図３に示すように、取付機構たるクリップ１は、互いの接近方向にバネ４によって弾発付勢された左右一対の挟持部たる左右一対の挟持部材２ａ，３ａ，２ｂ，３ｂと、これら挟持部材２ａ，３ａ，２ｂ，３ｂを前記バネ４の弾発付勢力に抗して離反方向に変位するために取付部７方向に変位可能な操作部５と、先端の折曲部が当接部となった一対の当接ロッド６ａ，６ｂとからなる。前記取付部７は、後述する保持体を取り付けるためのものである。
【００１１】
図２に示すように、取付部７には、保持体１８の支持軸２１が挿通する取付孔８を設けるとともに、後方に延出した規制部９を設けている。この取付部７と、各一方の挟持部材２ａ，２ｂと当接ロッド６ａ，６ｂは、合成樹脂で一体成型している。また、各他方の挟持部材３ａ，３ｂと操作部５は金属で一体的に形成している。
【００１２】
これによって、上述したように、操作部５を操作して、左右一対の挟持部材２ａ，３ａ，２ｂ，３ｂをバネ４の弾発付勢力に抗して離反方向に変位し、次いで前記バネ４の弾発付勢力によって、前記左右一対の挟持部材２ａ，３ａ，２ｂ，３ｂを接触方向に変位して眼鏡２０のブリッジ近傍のレンズ部分を前後方向から挟持することができる。このとき、通常では、規制部９の下面が眼鏡２０の上縁に当接して、位置決めする。この状態で、図３に示すように、前記当接ロッド６ａ，６ｂの各先端の当接部が眼鏡２０のレンズ前面側に当接することにより、左右各２箇所においてレンズに当接するので、ルーペ３６，３７を前記眼鏡２０に安定状態で取り付けることができる。
【００１３】
そして、各当接部が眼鏡レンズに当接する範囲内で、クリップ１を上下方向に位置調整して取り付けることができる。このため、上下幅が狭く、規制部９が眼鏡の上縁に当接する通常の取付位置では、挟持部材２ａ，３ａ，２ｂ，３ｂの先端挟持部が眼鏡の下縁よりも下方に位置してしまう眼鏡でも、クリップ１を上方に位置調整して、左右各２箇所においてレンズに当接し、ルーペ３６，３７の確実な取り付けを行うことができる。
【００１４】
続いて、保持体１８及びこの保持体１８にルーペ３６，３７を取り付けるための支持体３１について説明する。図１〜図３に示すように、ルーペ取付用の支持体３１は、左右一対の支持枠３２，３３を連結板３４（図２参照）で一体的に連結してなる。前記一対の支持枠３２，３３は、後述するルーペ３６，３７の接眼レンズ筒３８（図４参照）がこれら支持枠３２，３３の内側に沿って水平移動しうる空間を確保するように、水平方向に長い長円形に形成し、正面（図３に示す面で使用者が装着した状態では使用者とは対向しない面）側の上下縁には、同じく後述するスペーサ１３をガイドするガイド縁３２ａ，３２ｂ、３３ａ，３３ｂを突設している。また、前記連結板３４の中央には固定用のネジ孔３５を設けている（図２参照）。
【００１５】
なお、一対の支持枠３２，３３は、ルーペ３６，３７を後述する固定機構４１で固定した状態で、両ルーペ３６，３７のそれぞれの光軸が、それらの焦点で交叉するように、少なくとも正面側を、前記焦点を中心とし、その焦点距離を半径とする円弧を含む曲面に倣った曲面に形成すると好適である。
【００１６】
続いて、ルーペ３６，３７と固定機構４１について説明する。ルーペ３６，３７は、左右同一構成なので、以下ルーペ３６とその取り付け機構４１についてのみ説明する。図４に示すように、ルーペ３６は、接眼レンズ筒３８と対物レンズ筒３９とを有し、所定の焦点距離を有する拡大レンズ系を内蔵するもので、前記接眼レンズ筒３８と前記対物レンズ筒３９との境界部分には段部４０を形成している。
【００１７】
図４に示すように、固定機構４１は、外側スペーサ１３と、内側スペーサ１４と、固定リング１７とからなる。前記外側スペーサ１３は、接眼レンズ筒３８の対物レンズ筒３９側に位置し、ガイド縁３２ａ，３２ｂにガイドされて水平方向に移動可能であり、一面は段部４０に当接し、他面は支持枠３２の正面側に当接するもので、前記支持枠３２の透孔部分を遮蔽する板状の柔軟材にルーペ３６の接眼レンズ筒３８が嵌合する嵌合孔を設けてなる。
【００１８】
内側スペーサ１４は、接眼レンズ筒３８の端部側に位置し、一面は支持枠３２の背面に当接して、他面は固定リング１７に当接するもので、前記支持枠３２の透孔部分を遮蔽する板状の柔軟材にルーペ３６の接眼レンズ筒３８が嵌合する嵌合孔を設けてなる。前記固定リング１７は、接眼レンズ筒３８の端部外周に設けた雄螺旋１５に螺合する雌螺旋１６を内周に設け、螺合を深める方向に回転して締めつけることによって、前記外側スペーサ１３の一面を支持枠３２の正面に、また前記内側スペーサ１４の一面を該支持枠３２の背面に、それぞれ押し付けるようにして固定するものである。また、固定機構４１の固定リング１７を、螺合を解く方向に回転して各スペーサ１３，１４を介した固定状態を解放し、各接眼レンズ筒３８を各支持枠３２，３３内で水平方向に移動させることによって、使用者の眼幅に合わせるようにルーペ３６，３７を位置調整することが可能である。
【００１９】
続いて、保持体１８について説明する。図１〜図３に示すように、保持体１８は、クリップ１に取り付ける支持部２２と、この支持部２２に左右一対の連結アーム２３，２４を介して連結した、ルーペ取付用の支持体３１を保持する保持部２５とからなる。前記支持部２２と前記保持部２５は、前記各連結アーム２３，２４にそれぞれ支持軸２６，２７によって、回動可能に支持されている。したがって、前記支持部２２及び保持部２５はそれぞれ前記支持軸２６，２７を軸として上下方向に回動可能であり、この回動にともなって、前記支持体３１及びルーペ３６，３７は、眼鏡２０に対して接離方向に変位可能である。
【００２０】
図２に示すように、保持部２５は、背面側の下部中央に透孔３０を設けている。また、前記保持部２５の前記透孔３０を設けた部分には、間隙を形成するように凹入溝２８を設け、図では明らかでないが、前記凹入溝２８の対向間隔は両端部では狭く、中央部に向けて徐々に広くなるように形成され、この凹入溝２８にルーペ取付用支持体３１の連結板３４が、そのネジ孔３５が前記透孔３０と対応するよう挿入され、前記透孔３０からネジ２９を挿入して前記ネジ孔３５を貫通するよう締め付けることにより、前記ルーペ取付用支持体３１はその連結板３４において、前記保持体２５に固定される。
【００２１】
また、保持体２５の支持部２２は、上端両側に一対の突板２２ａ，２２ｂを一体的に設けている。そして、これら突板２２ａ，２２ｂに支持軸２１を固定し、この支持軸２１にクリップ１を取り付けている。
【００２２】
図４に示すように、各支持枠３２（支持枠３３は図示せず）は、固定する各ルーペ３６（ルーペ３７は図示せず）の光軸Ｌが眼鏡レンズ（図示せず）の光軸Ｎより２０度ほど下を向くように角度調節すると、使用者が作業する手もとを見るのに適したものとなる。この角度調節は、支持部２２及び保持部２５を回動することで行う。
【００２３】
なお、本発明は、上記実施形態になんら限定されるものではなく、例えば、クリップ１の当接部は、眼鏡２０の後面側でブリッジ部分に当接するものでもよいほか、眼鏡２０の前面側に当接するものに加えて眼鏡の後面側で当接するものを設けてもよい。また、外側スペーサ１３は、接眼レンズ筒３８に移動可能に嵌合するほか、接眼レンズ筒３８と一体的に構成し、内側スペーサ１４のみが接眼レンズ筒３８に対して分離可能に構成することもできる。またさらに、光軸Ｌの光軸Ｎに対する下向き角度は２０度に限らず、ほぼ１５度〜３０度の範囲にある角度であれば好適である。
【００２４】
さらに、固定した各ルーペ３６，３７は、拡大レンズ系の光軸Ｌ及び焦点距離が視認対象部分と完全に一致しなくても、使用者の目の機能で焦点調節されて視認可能であるから、各支持枠３２，３３を平面状に形成してもよいものである。さらにまた、柔軟材からなる上記各スペーサ１３，１４に代えて、金属などの硬質材製で、支持枠３２，３３正面にならった面を有する外側スペーサと、支持枠３２，３３背面にならった面を有する内側スペーサとを用いることもできる。
【図面の簡単な説明】
【００２５】
【図１】クリップにルーペを保持した保持体を取り付けた状態の斜視図。
【図２】クリップに取り付けたルーペを保持した保持体を中央部で破断した縦断面図。
【図３】ルーペをクリップで眼鏡に取り付けた状態を示す正面図。
【図４】ルーペを支持体に固定する固定機構の縦断面図。
【符号の説明】
【００２６】
１    クリップ
２ａ，２ｂ，３ａ，３ｂ      挟持部材
４      バネ
５      操作部
６ａ，６ｂ    当接ロッド
７      取付部
１８      保持体
２０      眼鏡
２２      支持部
２５      保持部
３１      支持体
３６，３７      ルーペ
４１      固定機構
【図１】
2006011208.tif 000003
【図２】
2006011208.tif 000004
【図３】
2006011208.tif 000005
【図４】
2006011208.tif 000006